(57)【特許請求の範囲】
【請求項１】
取付部材と、フック部材と、ロックリングからなり、
上記取付部材は病室の天井に固定されるベース部と、このベース部に下向きに設けられた連結部を有し、上記連結部には、筒形に配列された複数の連結片が縮径可能な弾性をもって形成され、各連結片の下端部内周面に内周係合突条が形成され、上記連結片の外周面に所定の径のロック外周面とこのロック外周面より上方にこれより小径のアンロック外周面が形成され、
上記フック部材は、フックの上端にフック頭部を有し、上記フック頭部の外周面に上記連結片の内周係合突条と相互に係合する外周係合溝が形成され、
上記ロックリングは、上記取付部材の外周面に嵌合されるように筒状に形成され、上記ロック外周面に嵌合するロック内周面を有し、
上記フック部材のフック頭部を上記取付部材の連結部に嵌入して、フック頭部の外周係合溝と連結部の内周係合突条を相互に係合させ、上記連結部の外周に上下動自在に嵌合させた上記ロックリングのロック内周面を上記連結部のロック外周面に嵌合させたロック状態と、上記アンロック外周面に嵌合させたアンロック状態を選択可能にした点滴用吊下げ具。
【請求項２】
上記の連結片の外周面上部に規制突起を設け、上記ロックリングに上記規制突起と一定の回転位相において嵌合する嵌合凹所を設け、上記ロックリングのロック状態においてロックリングを上記規制突起の下面に係合させて上動を阻止し、アンロック状態において上記係合凹所を上記の規制突起に嵌合させて上動を許容するようにした請求項１記載の点滴用吊下げ具。
【請求項３】
上記フック部材のフックの上端部に小径部を形成し、この小径部に上記フック頭部を貫通し、その上に座金を重ね、上記小径部の上記座金から突き出した部分にかしめ部を形成し、上記座金の強度を上記フックに人の体重を上回る荷重が作用したとき上記かしめ部が上記座金を破壊させる強度に設定した請求項１又は２記載の点滴用吊下げ具。
【発明の詳細な説明】
【０００１】
【発明の属する技術分野】
この発明は、点滴注射の際、点滴液の入っている容器を吊り下げるために病室の天井に固定する点滴用吊下げ具に関する。
【０００２】
【従来の技術】
患者に点滴注射を行なう際、点滴液の入っている点滴容器を逆さにして患者より上に吊り下げる。このための点滴用吊下げ具には、支柱の上部にフック部を設けたスタンド式のもの、病室の天井にフックを固定した天井固定式のもの、その他カーテンレールにフックを取り付けて使用するカーテンレール式のものがある。
【０００３】
従来の天井固定式の点滴用吊下げ具には、実公平６−２１４８３号に示されているものがある。この点滴用吊下げ具は、取付部材と、フック部材からなっている。この取付部材は天井に固定されるベース部から下向きに設けられた円筒状の連結部を備えており、その下端は開口し、内周面に雌ねじが形成されている。また、フック部材は金属のフックの上端部にフック頭部を設けたものであり、このフック頭部の外周には雄ねじが形成されている。天井に固定した取付部材の連結部にフック部材のフック頭部をねじ込んで、フック部材を天井に支持できるようになっている。
【０００４】
また、上記のフック部材は、フックの上端部を支持部材に貫通させ、その支持部材をフック頭部に止めたものである。この支持部材に弱化部が設けられており、人の体重を上回る荷重がフックに作用するときにこの弱化部が破壊して、フックが支持部材およびフック頭部から抜け出し、天井から脱落するようになっている。これは、患者の首吊り自殺を防止するためのものである。
【０００５】
【発明が解決しようとする課題】
しかしながら、上記の点滴用吊下げ具では、天井に固定された取付部材にフック部材を取り付ける際、作業者は天井を見上げ、腕を伸ばして、フック部材のフック頭部が取付部材の連結部にしっかり止まるまで、何度もフック頭部を回さなければならなかった。このため作業者は多大の労力を要し、また施工効率も悪いという問題があった。
【０００６】
そこで、この発明の課題は、取り付け作業が極めて簡便な天井固定式の点滴用吊下げ具を提供することである。
【０００７】
【課題を解決するための手段】
この発明の点滴用吊下げ具は、取付部材と、フック部材と、ロックリングからなり、上記取付部材は病室の天井に固定されるベース部と、このベース部に下向きに設けられた連結部を有し、上記連結部には、筒形に配列された複数の連結片が縮径可能な弾性をもって形成され、各連結片の下端部内周面に内周係合突条が形成され、上記連結片の外周面に所定の径のロック外周面とこのロック外周面より上方にこれより小径のアンロック外周面が形成され、上記フック部材は、フックの上端にフック頭部を有し、上記フック頭部の外周面に上記連結片の内周係合突条と相互に係合する外周係合溝が形成され、上記ロックリングは、上記取付部材の外周面に嵌合されるように筒状に形成され、上記ロック外周面に嵌合するロック内周面を有し、上記フック部材のフック頭部を上記取付部材の連結部に嵌入して、フック頭部の外周係合溝と連結部の内周係合突条を相互に係合させ、上記連結部の外周に上下動自在に嵌合させた上記ロックリングのロック内周面を上記連結部のロック外周面に嵌合させたロック状態と、上記アンロック外周面に嵌合させたアンロック状態を選択可能にした構成を採用したのである。
【０００８】
この発明によれば、取付部材の連結部にフック部材のフック頭部を嵌入させ、ロックリングを下動させるだけの、簡単かつ極めて短時間の操作によって、天井に固定された取付部材にフック部材を取り付けることができる。従って、取付能率が良く、作業者の労力を軽減することができる。
【０００９】
なお、上記の連結片の外周面上部に規制突起を設け、上記ロックリングに上記規制突起と一定の回転位相において嵌合する嵌合凹所を設け、上記ロックリングのロック状態においてロックリングを上記規制突起の下面に係合させて上動を阻止し、アンロック状態において上記係合凹所を上記の規制突起に嵌合させて上動を許容するようにした構成、上記フック部材のフックの上端部に小径部を形成し、この小径部に上記フック頭部を貫通し、その上に座金を重ね、上記小径部の上記座金から突き出した部分にかしめ部を形成し、上記座金の強度を上記フックに人の体重を上回る荷重が作用したとき上記かしめ部が上記座金を破壊させる強度に設定した構成をとることができる。
【００１０】
【発明の実施の形態】
以下、この発明の実施形態を図１から図５に基づいて説明する。
図１に示すように、この発明の点滴用吊下げ具は、取付部材１と、ロックリング２と、フック部材３及びカバー４とからなっている。
【００１１】
取付部材１は、硬質の合成樹脂により形成され、ベース部５と連結部６からなっている。このベース部５は、円盤形状で、その外周縁には係合溝７が形成されており、中央には取付穴８が設けられている。連結部６は、連結片９、９からなっており、ベース部５から下方に突き出している。この連結片９は、円筒を軸線に沿って２つ割りにした半円筒形に形成され、適当な間隔１０をあけて対向し、筒状の連結部６を構成している。なお、図示の場合、連結部６は２つの連結片９で構成されているが、３個以上の連結片９を筒形に配列して、円筒状の連結部６を構成しても良い。
【００１２】
連結片９がベース部５と接合する上端部１１は、切込み１１’によりそれより下部に比べて周方向の幅を狭く形成してある（図２参照）。これは、連結片９、９を筒形連結部６の縮径方向に弾性変形しやすくするためである。
【００１３】
連結片９の下端部内周には、連結部６の内向きに内周係合突条１２が形成されている。この内周係合突条１２の断面は、上面および下面１３が傾斜している台形状に形成され、その下面１３の下縁は連結片９の下端に達している。
【００１４】
連結片９の下端部外周には、断面が三角形状の係止突条１４が形成されており、その上面は水平で、下面は下方に傾斜している。この係止突条１４のすぐ上の外周に、ロック外周面１５が設けられており、さらにこのロック外周面１５より上方全体に、ロック外周面１５より径の小さい外径をもったアンロック外周面１６が形成されている。また、アンロック外周面１６の中央部外周に、リブ１７が形成されている。このリブ１７の頂部の径は、ロック外周面１５の外径にほぼ等しくなっている。さらに、前記の上端部１１の外面に規制突起１８が設けられている。
【００１５】
次に、ロックリング２は、硬質の合成樹脂製の上下端が開口した円筒体であり、その下端には外向きのフランジ１９が形成されている。このフランジ１９はロックリング２を補強すると共に、取付作業時に作業者の指の引っ掛かりを良くする機能がある。その内径は、ロック外周面１５およびリブ１７の頂部の径にほぼ等しく、この両者に隙間なく嵌合するようになっている。また高さは、係止突条１４の上面と規制突起１８の下面の間隔にほぼ等しく、この両者の間に隙間なく嵌まるようになっている。
【００１６】
ロックリング２を連結部６に強制的に嵌合させると、まずロックリング２の上端が係止突条１４の傾斜した下面を押して、連結片９、９の下端を相互に接近させる内向きの分力が働く。その後係止突条１４の頂部がロックリング２の内側に嵌まり込み、最終的に係止突条１４の頂部がロックリング２の下端から突き出すと、接近していた連結片９、９の下端は弾性力によって再び離反し、係止突条１４、１４の上面にロックリング２の下端が係止するようになる。再び連結片９、９の下端に内向きの外力を加えて接近させない限り、ロックリング２は連結部６から外れることができない。一方、ロックリング２の上端は規制突起１８の下面に係止している。従って、ロックリング２は係止突条１４と規制突起１８の間で上下動せず、かつロックリング２の内周面はロック外周面１５とリブ１７に接してぐらつきなく連結部６に嵌合したロック状態にある（図４参照）。このロック状態では、ロックリング２の回転は自由である。
【００１７】
また、ロックリング２の上端部内面の径方向に対称な２ヶ所に、嵌入凹所２０、２０が設けられている。この嵌入凹所２０の周方向の幅と規制突起１８の周方向の幅が、そして嵌入凹所２０の窪みの深さと規制突起１８の上端部１１の外面からの突出高さが、そして嵌入凹所２０の上下高さと規制突起１８の上下高さが、それぞれほぼ等しくなっているので、嵌入凹所２０に規制突起１８が収まるようになっている。
【００１８】
従って、ロックリング２を回して嵌入凹所２０、２０が規制突起１８、１８に合致する回転位相の関係にあるときのみ、ロックリング２を規制突起１８の下面より上に持ち上げることができ（図３参照）、このとき嵌入凹所２０と規制突起１８の摩擦によりロックリング２がその位置に止まり、且つ嵌入凹所２０と規制突起１８の係合によりロックリング２の回転を阻止するアンロック状態となる。
【００１９】
フック部材３は、合成樹脂製のフック頭部２１と、軟質ゴムや多孔質スポンジからなる緩衝材２２と、座金２３と、金属線を折り曲げたフック２４（図５参照）からなっている。図３に示すように、このフック２４上端部に、段部２６より上方に真っ直ぐ延びた小径部２５が形成してある。フック頭部２１は、軸線に沿って上下に貫通した縦孔２７を有した回転体であり、縦孔２７の内径はフック２４の外径にほぼ等しくなっている。また、縦孔２７の上端には内向きの係止部２８が設けられている。
【００２０】
また、フック頭部２１の外周に環状の外周係合溝３０が形成されている。この外周係合溝３０の上面３１は傾斜し、下面３２は水平になっている。緩衝材２２と座金２３にはいずれも中央に穴が形成されている。
【００２１】
フック２４の小径部２５に、フック頭部２１の縦孔２７を挿通し、縦孔２７の上端に内向きに形成した係止部２８が段部２６に係止する。緩衝材２２の中央に形成した穴に小径部２５を挿通して、緩衝材２２をフック頭部２１の上に重ね、同じく座金２３の中央に形成した穴に小径部２５を挿通して、座金２３を緩衝材２２の上に重ねる。そして、小径部２５の上端を潰してかしめ部２９を設け、座金２３がこのかしめ部２９に係止することにより、フック頭部２１と緩衝材２２および座金２３がフック２４と一体化される。このようにすれば、フック頭部２１に対して、フック２４は自在に回転することができる。
【００２２】
上記の座金２３は、フック２４に人の体重を上回る荷重が作用するとき、かしめ部２９によって破壊されるような強度を有するようになっている。例えば、そのような所要の強度をもったプラスティック材で形成されている。
【００２３】
カバー４は、合成樹脂製であり、肉厚の薄い逆さ円錐状に形成され、上下端は開口している。この上端開口に形成された係合リブ３３は、取付部材１の係合溝７に係合するようになっている。係合させる際には上端開口を手で少し変形させる必要があるので、この変形を助けるための切欠き凹部３４、３４が対称な２ヶ所に設けられている。
【００２４】
なお、図５において符号３７はフック２４の下端に吊下げられた点滴用袋である。
【００２５】
この点滴用吊下げ具を天井に取り付けるときは、ボルト３５を取付穴８に通し、取付部材１を天井Ｃに固定する。ロックリング２は工場において予め連結部６に嵌入されている。フック部材３を取り付ける前にロックリング２を上動させてアンロック状態とする。連結部６にフック部材３のフック頭部２１を嵌入して、外周係合溝３０を連結片９、９の内周係合突条１２、１２に係合させる。次にロックリング２を引き下げてほぼ９０度回し、ロック状態にする。フック２４の下部をカバー４の下端開口から出して、係合リブ３３を係合溝７に係合させると、フック２４以外の部分を隠すことができ、外観がすっきりする。この点滴用吊下げ具を取り外すときは、平形のドライバーや硬貨などを切欠き凹部３４に差してひねればカバー４を取り外すことができ、その後上記の手順を逆に行なえばよい。
【００２６】
【発明の効果】
この発明によれば、以上のように、フック部材を嵌入させ、ロックリングを下動させるだけの、簡単かつ極めて短時間の操作によって、天井に固定された取付部材にフック部材を取り付けることができる。従って、取付能率が良く、また作業者の労力を軽減することができる。
【００２７】
さらに、フックに人の体重を上回る荷重が作用するとき、フックが天井から脱落するので、患者がこの吊下げ具を使って首吊り自殺を図るのを防ぐことができる。
【図面の簡単な説明】
【図１】この発明の点滴用吊下げ具を示す斜視図
【図２】同上の取付部材を示す側面図
【図３】同上の取付前の断面図
【図４】同上の取付後の断面図
【図５】同上の使用状態を示す全体図
【符号の説明】
１  取付部材
２  ロックリング
３  フック部材
４  カバー
５  ベース部
６  連結部
７  係合溝
８  取付穴
９  連結片
１０  上端部
１１  隙間
１１’  切込み
１２  内周係合突条
１３  下面
１４  係止突条
１５  ロック外周面
１６  アンロック外周面
１７  リブ
１８  規制突起
１９  フランジ
２０  嵌入凹所
２１  フック頭部
２２  緩衝材
２３  座金
２４  フック
２５  小径部
２６  段部
２７  縦孔
２８  係止部
２９  かしめ部
３０  外周係合溝
３１  上面
３２  下面
３３  係合リブ
３４  切欠き凹部
３５  ボルト
３６  天井
３７  点滴用袋
【図１】
0004189058.tif 000002
【図２】
0004189058.tif 000003
【図３】
0004189058.tif 000004
【図４】
0004189058.tif 000005
【図５】
0004189058.tif 000006